(57)【要約】      （修正有）【課題】書類の綴じ込みがワンタッチ式に行なえ、操作が簡単且つ低コストで商品化の出来るファイルの止め具を提供する。【解決手段】ファイル台紙Ｂの折り返し部Ｃに係止する対でなる止め具のいずれか１本が、ひも状で伸縮自在のクッションバンド１と、他の１本が非伸縮性で屈曲自在の固定バンド２の双方が、折り返し部Ｃにそれぞれの端子に一体化する止め部１ａ．２ａによって係止し、該固定バンド２の先端部に巾Ｐを有するミゾ部３を一体化し、それらのミゾ部３の巾Ｐにさし込み自在でなるクッションバンド１の直径Ｄより該ミゾ部３の巾Ｐをやや小さくすることで、双方の止め具にさし込まれた書類Ａが、固定バンド２のミゾ部３に引張りＲによって細状の伸び形態でさし込まれ、引張りＲの解除によって、クッションバンド２の弾発力で結合はさみ込まれ、書類Ａの綴じ込みのホールドを可能にした構成である。【選択図】図１
0003112124.tif 000002
【実用新案登録請求の範囲】
【請求項１】
書類（Ａ）を綴じ込む止め具体付ファイルにおいて、これらのファイル台紙（Ｂ）の折り返し部（Ｃ）に係止する対でなる止め具のいずれか１本をひも状で伸縮自在のクッショ性のエラストマー材などでなるクッションバンド（１）とそれに接合する１本の非伸縮性で屈曲自在のポリプロピレン材などでなる固定バンド（２）の双方が、折り返し部（Ｃ）にそれぞれの端子に一体化する止め部（１ａ）（２ａ）によって係止し、該固定バンド（２）の先端部に巾（Ｐ）を有するミゾ部（３）を一体化し、それらのミゾ部（３）の巾（Ｐ）にさし込み自在でなるクッションバンド（１）の直径（Ｄ）より、該ミゾ部（３）の巾（Ｐ）をやや小さいことで、双方止め具にさし込まれた書類（Ａ）が、押し圧（ａ）を受けて折り曲げられた固定バンド（２）のミゾ部（３）にクッションバンド（２）が引張り（Ｒ）によって細状の伸びによってさし込まれ、該引張り（Ｒ）の解除によって瞬時、ミゾ部（３）の巾（Ｐ）内でクッションバンド（２）の弾発力で挟着し、当該固定バンド（２）とクッションバンド（１）の２部品結合自在によって書類（Ａ）をとじ込みホールド可能にしたことを特徴とするファイルのワンタッチ止め具。
【請求項２】
前記するクッションバンド（１）と固定バンド（２）の双方を伸縮自在でクッション性のエラストマー材での同一材質にするか、或いは、これらの双方のクッションバンド（１）と固定バンド（２）の２部品を一体化でのクッションバンド（１）にしたことを特徴とする請求項１記載のファイルのワンタッチ止め具。
【請求項３】
前記するクッションバンド（１）と固定バンド（２）の双方を非伸縮自在で屈曲自在のポリプロピレンなどでの同一材質にするか、或いは、これらの双方のクッションバンド（１）と固定バンド（２）の２部品を一体化でのクッションバンド（１）にしたことを特徴とする請求項２記載のファイルのワンタッチ止め具。
【考案の詳細な説明】
【技術分野】
【０００１】この考案はファイルに装備する書類をとじる止め具の改良に関するものである。
【背景技術】
【０００２】此の種の従来の技術として、図４で示すように一般的に知られているファイルに装備する止め具は、ファイル台紙Ｂの中央部に設けた折り返し部Ｃに板状の樹脂製のバンド１０１の両端部が対で均等に飛び出している。【０００３】ファイルの綴じ込む書類Ａは、全てこれらを綴じるための丸穴をパンチで所定の位置に開口するが、それらの２個の丸穴のピッチと同じ間隔でバンド１０１の端部が双方均等の長さで折り返し部Ｃ設けられて書類Ａの２個の丸穴にさし込まれて重ねられる。【０００４】重ねられた書類Ａの丸穴から飛び出す２本のバンド１０１は更に板状の基台２０１の穴ａに貫通し、折り返し部Ｃと基台２０１間にホールド保管出来るために基台２０１のの面上で左右自在に接合して滑り動きのする２個のスライダー３０１の作用によって、双方のバンド１０１は折り曲げ状態で、基台２０１表とスライダー３０１間に定着することで、ファイル台紙Ｂの折り返し部Ｃと基台２０１間に書類Ａがホールドする。【０００５】このように書類Ａのファイル台紙Ｂへの綴じ込みは、基台２０１に滑り動き自在に組込まれた２個のスライダー３０１と、書類Ａがさし込まれるポリエチレン材などでなる樹脂加工部品での板状のバンド１０１とでなる４部品での構成からなる止め具である。【０００６】そして、このような構成の止め具での書類Ａの増設や中間取出しの繰返しごとに利用者は、基台２０１に設けた２個のスライダー３０１を利用者が指先で操作して基台２０１にホールドされたバンド１０１を解放する止め具の操作を行われることでバンド１０１から基台２０１を取外すことで書類Ａのファイル作業が行われる。【０００７】即ち、２本のバンド１０１にさし込まれた書類Ａは基台２０１の２個の穴ａにバンド１０１の双方の端部をさし込み、中央によせてあるスライダー３０１を外方に向けて指先で動かすことでバンド１０１の飛び出している端部が折り曲げられて書類Ａが台紙Ｂの折り返し部Ｃと基台２０１間にしめつけられてホールドされる構成である。
【考案の開示】
【考案が解決しようとする課題】
【０００８】しかしながら、上記する従来技術でのファイルの止め具は、書類Ａをファイルに綴じ込むのに、書類Ａにパンチで開口した穴にバンド１０１の双方の端部をさし込んで綴じるのに、基台２０１に具備する２個のスライダー３０１を移動させて、基台２０１面とスライダー３０１間に挟着する双方のバンド１０１を解除し、それらの基台２０１を双方のバンド１０１から抜き取るが、指先に過剰な力が付加されるなどの課題がある。【０００９】即ち、指先を使ってスライダー３０１の双方を滑らせるのにバンド１０１の挟着と解除が行われ、基台２０１の穴ａから飛び出したバンド１０１が板状の樹脂材で急激に折り曲げるのに、その曲げ部は大きなふくらみが残ることでスライダー３０１のすべりを阻害し、必要以上の力を指先にしいられることになるなどの課題である。【０００９】そしてまた、これらの基台３０１とスライダー２０１に挟まれるバンド１０１の厚さ加減によってスライダー２０１の操作力をゆるめたり、きしませたりすることで書類Ａの挟着にバラツキが大きく書類Ａのゆるみやスライダーのもどりゆるみなどの支障をきたすという課題がある。【００１０】そしてまた、これらの基台２０１とスライダー３０１間にサンドイッチ的に挟まれるバンド１０１の材厚の寸法誤差加減のバラツキによって挟着度合いがきつかったり、ゆるかったりなどの課題が残る。
【課題を解決するための手段】
【００１１】この考案はかかる課題を解決するために、請求項１での考案は図１．２で述べるように、ファイル台紙Ｂの折り返し部Ｃに係止する対でなる止め具のいずれか１本を紐状で伸縮自在のクッション性のエラストマー材などでなるクッションバンド１とそれに接合する１本の非伸縮性で屈曲自在のポリプロピレン材などでなる固定バンド２の双方が、折り返し部Ｃにそれぞれの端子に一体化する止め部（１ａ）（２ａ）によって係止する。【００１２】そして固定バンド２の先端部に巾Ｐを有するミゾ部３を一体化し、それらのミゾ部３の巾Ｐにさし込み自在でなる他方のクッションバンド１の直径Ｄより、該ミゾ部３の巾Ｐをやや小さい寸法構成にしている。【００１３】これらのクッションバンド１と固定バンド２のそれぞれの端部からさし込まれた書類Ａが、押し圧Ｑを受けて折り曲げられた固定バンド２のミゾ部３に、クッションバンド２が引張りＲによって細状の伸びた状態でさし込まれて双方が結合状態でクッションバンド２の引張りの解除によって瞬時、ミゾ部３の巾Ｐ内でクッションバンド２の復元力による弾発力でミゾ部３に挟着するクッションバンド２が結合する。【００１４】このように２本の双方が結合することで、クッションバンド２をこれらのミゾ部３からはずさない限り、書類Ａの綴じ込みが保持される。【００１５】請求項２での考案は前記するクッションバンド１と固定バンド２の双方を伸縮自在でクッション性のエラストマー材での同一材質にするか、或いはこれらの双方のクションバンド１と固定バンド２の２部品を一体化での１部品構成である。【００１６】次に請求項３での考案は請求項１記載でのクッションバンド１と固定バンド２の双方を非伸縮性で屈曲自在のポリプロピレン材などでの同一材質にするか、或いは、これらの双方のクッションバンド１と固定バンド２の２部品を一体化での１部品構成である。
【考案の効果】
【００１７】本考案は、上述の通り構成作用するので次の優れた効果を奏する。即ち、第１実施例で述べるように、基台に飛び出すクッションバンドと固定バンドに書類を差し込みクッションバンドを引張って固定バンドのミゾ部にはめ込むだけで書類の綴じ込みの出来るファイルのワンタッチ止め具を提供出来る。【００１８】そしてまた、第２実施例で述べるように双方の材質を同じクッション性のよいエラストマー材で構成することで低コストでソフト挟着のファイルのワンタッチ止め具を提供出来る。【００１９】更にまた、第３実施例で述べるように双方の材質を同じ非伸縮性のポリプロピレン材などで構成することで低コストでハード挟着のファイルのワンタッチ止め具を提供出来る。
【考案を実施するための最良の形態】
【００２０】以下に図示の実施例に基づいて本考案を更に詳細に説明する。即ち図１は本実施例に基づく１部断面での全体斜視図で紙材或いはプラスチック材でのファイル台紙Ｂ中央部に折り返し部Ｃにて２枚合わせで、これらに開口する穴にさし込まれて係止する対でなる止め具のいずれか１本をひも状で伸縮自在のクッション性のエラストマーなどでなるクッションバンド１を設ける。【００２１】これらのクッションバンド１の端子に一体化する突状の止め部１ａがファイル台紙Ｂの２枚合わせの折り返し部Ｃの開口する穴にさし込まれて抜け止めとなるが、本実施例ではこれらのクッションバンド１は丸棒状のエラストマー材を取り上げているが、伸縮自在でクッション性の樹脂材例えばナイロン樹脂やウレタン樹脂なとで且つ平板状にするなどでもよいので、丸棒状でエラストマー材を特定する必要はない。【００２２】また、他の上記するクッションバンド１に接合する非伸縮性で屈曲自在のポリプロピレン材での固定バンド２が、その端子に一体する止め部２ａと先端部に巾Ｐを有するミゾ部３が一体化した構成で、これらがファイル台紙Ｂの２枚合わせの折り返し部Ｃに開口する孔にさし込まれてクッションバンド１と並列する。【００２３】このように構成する固定バンド２の先端部に設けた巾Ｐを有するミゾ部３は他方のクッションバンド１の素材径での直径Ｄの寸法よりやや小さい寸法で設定することで、クッションバンド１を引き伸ばして細状の状態でミゾ部の巾Ｐにさし込むが、これらの巾Ｐより太いクッションバンド１の直径Ｄはさし込まれた後に引っ張りＲが解除されることで自然直径Ｄに復元する働きが弾発力となって抜け出ることのない双方のバンドの結合が完成される。【００２４】これらの結合する結束力はクッションバンド１の直径Ｄ或いは平状の場合では、その巾などの寸法はおのづから書類Ａに開口する穴孔の直径より細目が基本となるが材質の弾発力や固定バンド２の端部に設けたミゾ部３の巾Ｐとの寸法差を加減することで結束力をコントロール出来るが、クッションバンド１の引張りＲの力加減によって結束力の強弱を決定する。【００２５】そして綴じ込まれた書類の取り出しや、継ぎ足しなど止め具をはすずのはごく簡単な操作で、即ち図２は書類Ａがファイル台紙に綴じ込みされた形態での１部省略での斜視図で、クッションバンド１の端部を指先で摘んで矢印方向に持ち上げ固定バンド２のミゾ部３から引き離すだけのワンタッチ操作で行われることになる。【００２６】次に第２実施例において、固定バンド２の非伸縮性で屈曲自在の材質を伸縮自在のクッション性のエラストマー材と同一材質にする構成にしたもので、双方の接合部であるミゾ部３の挟着力が軟弱で且つ同一材質での摩擦力が大きく動くなどで、強力な結束力をえるなどの効果を狙うものであるが、更に図３で示すように固定バンド２をクッション性のエラストマー材のクッションバンド１と同一材質にすることで双方の２部品を一体化することで一本のクッションバンド１’に構成し、ファイル台紙Ｂの折り返し部Ｃの係止は並列する２本のバンドから１本のバンドにする構成が狙いとなる。【００２７】次に第３実施例において伸縮自在のクッション性のエラストマー材でのクッションバンド１の材質を固定バント２の非伸縮性で屈曲自在の材質と同一材質にする構成にしたもので、双方の接合部であるミゾ部３の挟着力が強固で、無理ばめするなどの強力な結束力を狙いとするものであるが更に図３で示すように双方の２部品を一体化することでの一本のクッションバンド１”に構成することで比較的低コスト性でのファイルのワンタッチ操作の止め具を狙いとする。【００２８】このように１部品又は２部品で比較的低コストでの構成を具現化するために、双方のひもの結びを固定バンド２のミゾ部３に他方のクッションバンド１をはさみ込むタッチ操作で結合を自在にするこれまでにない低コストで利便性の高い且つ他への利用性のあるファイルのワンタッチ止め具を成功させたものである。
【図面の簡単な説明】
【００２９】
【図１】本考案に係わる第１実施例での１部断面での斜視図である。
【図２】本考案に係わる第１実施例での使用例での１部断面での斜視図である。
【図３】本考案に係わる第２と第３実施例での要部に関する斜視図である。
【図４】従来技術でのファイルの止め具を示す１部断面での斜視図である。
【符合の説明】
【００３０】Ａ                書類
Ｂ                ファイル台紙
Ｃ                折り返し部
Ｄ                直径
Ｐ                巾
Ｑ                押し圧
Ｒ                引っ張り
１．１’．１”    クッションバンド
２                固定バンド
３                ミゾ部
１０１            バンド
２０１            基台
３０１            スライダー
【図１】
0003112124.tif 000003
【図２】
0003112124.tif 000004
【図３】
0003112124.tif 000005
【図４】
0003112124.tif 000006